(57)【要約】【課題】ミラーアップに要する時間を短縮できるカメラおよびミラー駆動機構を提供する。【解決手段】ミラーアップ動作の初期の段階で、レリーズレバー３２０およびミラー係止レバー３３０を介してさらにレリーズレバーバネ３６１の付勢力でミラーアップを補助するように構成した。したがって、従来からあるレリーズレバーバネ３６１を利用して、ミラーアップバネ３６２の力量を増やさずにミラーアップのための駆動力を増やすことができるので、チャージのためのモータの大型化や消費電流の増大を招くことなく、ミラーアップに要する時間を短縮できる。これにより、カメラの連写速度を上げることができるほか、ミラーユニット３０が観察位置で停止している時間を長くできる。【選択図】図３
2010113234.tif 000002
【特許請求の範囲】
【請求項１】
撮影光路中に挿入されるダウン姿勢と、撮影光路から退避したアップ姿勢との２姿勢の間で駆動されるミラーと、
前記ミラーを前記アップ姿勢に移動させるための第１の部材と、
前記ミラーが前記アップ姿勢に移動するように前記第１の部材を付勢する第１の弾性体と、
前記第１の弾性体によって付勢される前記第１の部材を係止する第２の部材と、
前記第２の部材による前記第１の部材の係止を解除するように前記第２の部材を付勢する第２の弾性体と、
前記第２の弾性体によって付勢される前記第２の部材を係止する係止手段とを備え、
前記第２の弾性体は、前記係止手段による前記第２の部材の係止が解除されると、前記ミラーが前記ダウン姿勢から前記アップ姿勢に至る期間のうちの少なくとも一部の期間で、前記ミラーが前記アップ姿勢に移動するように前記第２の部材を介して前記第１の部材を付勢することを特徴とするカメラ。
【請求項２】
請求項１に記載のカメラにおいて、
前記第２の部材は、前記第１の弾性体によって付勢される前記第１の部材を係止する係止部と、前記ミラーが前記ダウン姿勢から前記アップ姿勢に至る期間のうちの少なくとも一部の期間、前記第１の部材に当接する当接部とを有し、
前記当接部は、前記第２の弾性体の付勢力を前記第１の部材を伝達することを特徴とするカメラ。
【請求項３】
請求項１または請求項２に記載のカメラにおいて、
撮影開始時に駆動される部材であって、前記第１の部材および前記第２の部材とは異なる第３の部材をさらに備え、
前記第２の弾性体は、前記第３の部材を介して前記第２の部材を付勢することにより、前記ミラーが前記アップ姿勢に移動するように前記第２の部材を介して前記第１の部材を付勢することを特徴とするカメラ。
【請求項４】
請求項３に記載のカメラにおいて、
前記第３の部材は、撮影開始時にシャッタ装置の係止を解除する解除部材であることを特徴とするカメラ。
【請求項５】
請求項１〜４のいずれか一項に記載のカメラにおいて、
撮影後、撮影開始前の状態にリセットする際に、前記第２の弾性体を撮影開始前の状態にリセットする弾性体リセット手段をさらに備え、
前記弾性体リセット手段は、前記第１の弾性体を撮影後から撮影開始前の状態にリセットするまでの期間のうち、少なくとも前半の期間で、前記第２の弾性体を略撮影開始前の状態にリセットすることを特徴とするカメラ。
【請求項６】
請求項１〜５のいずれか一項に記載のカメラにおいて、
前記第２の弾性体は、前記係止手段による前記第２の部材の係止が解除されると、前記ミラーが前記ダウン姿勢から前記アップ姿勢に至る期間のうちの初期の段階で、前記ミラーが前記アップ姿勢に移動するように前記第２の部材を介して前記第１の部材を付勢することを特徴とするカメラ。
【請求項７】
撮影光路中に挿入されるダウン姿勢と、撮影光路から退避したアップ姿勢との２姿勢の間で駆動されるミラーを前記アップ姿勢に移動させるための第１の部材と、
前記ミラーが前記アップ姿勢に移動するように前記第１の部材を付勢する第１の弾性体と、
前記第１の弾性体によって付勢される前記第１の部材を係止する第２の部材と、
前記第２の部材による前記第１の部材の係止を解除するように前記第２の部材を付勢する第２の弾性体と、
前記第２の弾性体によって付勢される前記第２の部材を係止する係止手段とを備え、
前記第２の弾性体は、前記係止手段による前記第２の部材の係止が解除されると、前記ミラーが前記ダウン姿勢から前記アップ姿勢に至る期間のうちの少なくとも一部の期間で、前記ミラーが前記アップ姿勢に移動するように前記第２の部材を介して前記第１の部材を付勢することを特徴とするミラー駆動機構。
【請求項８】
撮影光路中に挿入されるダウン姿勢と、撮影光路から退避したアップ姿勢との２姿勢の間で駆動されるミラーと、
前記ミラーを前記アップ姿勢に移動させるための第１の部材と、
前記ミラーが前記アップ姿勢に移動するように前記第１の部材を付勢する第１および第２の弾性体とを備え、
前記第１の弾性体は、前記ミラーが前記ダウン姿勢から前記アップ姿勢に至る全期間で、前記ミラーが前記アップ姿勢に移動するように前記第１の部材を付勢し、
前記第２の弾性体は、前記ミラーが前記ダウン姿勢から前記アップ姿勢に至る期間のうちの少なくとも一部の期間で、前記ミラーが前記アップ姿勢に移動するように前記第１の部材を付勢することを特徴とするカメラ。
【発明の詳細な説明】
【技術分野】
【０００１】
本発明は、一眼レフタイプのカメラおよびミラー駆動機構に関する。
【背景技術】
【０００２】
一眼レフタイプのカメラには、撮影開始前に撮影光路中に位置して被写体光をファインダ光学系に導き、撮影中は撮影光路から退避するメインミラーが設けられている。このメインミラーは、撮影の度に退避位置（ミラーアップ位置）と観察位置（ミラーダウン位置）との間で移動している。カメラの連写速度を上げるために、たとえばミラーダウンに要する時間を短縮することが行われている（特許文献１参照）。
【０００３】
【特許文献１】特開平８−００６１５７号公報
【発明の開示】
【発明が解決しようとする課題】
【０００４】
カメラの連写速度を上げるために、たとえば、メインミラーをミラーアップさせるためのバネの力量を大きくすることで、ミラーアップに要する時間を短縮すること考えられる。しかし、当該バネの力量を大きくすると、当該バネをチャージするための力量も大きくなる。そのため、チャージのためのモータが大型化してカメラの小型化の要請に反するほか、消費電流も増大してしまう。
【課題を解決するための手段】
【０００５】
（１）  請求項１の発明によるカメラは、撮影光路中に挿入されるダウン姿勢と、撮影光路から退避したアップ姿勢との２姿勢の間で駆動されるミラーと、ミラーをアップ姿勢に移動させるための第１の部材と、ミラーがアップ姿勢に移動するように第１の部材を付勢する第１の弾性体と、第１の弾性体によって付勢される第１の部材を係止する第２の部材と、第２の部材による第１の部材の係止を解除するように第２の部材を付勢する第２の弾性体と、第２の弾性体によって付勢される第２の部材を係止する係止手段とを備え、第２の弾性体は、係止手段による第２の部材の係止が解除されると、ミラーがダウン姿勢からアップ姿勢に至る期間のうちの少なくとも一部の期間で、ミラーがアップ姿勢に移動するように第２の部材を介して第１の部材を付勢することを特徴とする。
（２）  請求項２の発明は、請求項１に記載のカメラにおいて、第２の部材は、第１の弾性体によって付勢される第１の部材を係止する係止部と、ミラーがダウン姿勢からアップ姿勢に至る期間のうちの少なくとも一部の期間、第１の部材に当接する当接部とを有し、当接部は、第２の弾性体の付勢力を第１の部材を伝達することを特徴とする。
（３）  請求項３の発明は、請求項１または請求項２に記載のカメラにおいて、撮影開始時に駆動される部材であって、第１の部材および第２の部材とは異なる第３の部材をさらに備え、第２の弾性体は、第３の部材を介して第２の部材を付勢することにより、ミラーがアップ姿勢に移動するように第２の部材を介して第１の部材を付勢することを特徴とする。
（４）  請求項４の発明は、請求項３に記載のカメラにおいて、第３の部材は、撮影開始時にシャッタ装置の係止を解除する解除部材であることを特徴とする。
（５）  請求項５の発明は、請求項１〜４のいずれか一項に記載のカメラにおいて、撮影後、撮影開始前の状態にリセットする際に、第２の弾性体を撮影開始前の状態にリセットする弾性体リセット手段をさらに備え、弾性体リセット手段は、第１の弾性体を撮影後から撮影開始前の状態にリセットするまでの期間のうち、少なくとも前半の期間で、第２の弾性体を略撮影開始前の状態にリセットすることを特徴とする。
（６）  請求項６の発明は、請求項１〜５のいずれか一項に記載のカメラにおいて、第２の弾性体は、係止手段による第２の部材の係止が解除されると、ミラーがダウン姿勢からアップ姿勢に至る期間のうちの初期の段階で、ミラーがアップ姿勢に移動するように第２の部材を介して第１の部材を付勢することを特徴とする。
（７）  請求項７の発明によるミラー駆動機構は、撮影光路中に挿入されるダウン姿勢と、撮影光路から退避したアップ姿勢との２姿勢の間で駆動されるミラーをアップ姿勢に移動させるための第１の部材と、ミラーがアップ姿勢に移動するように第１の部材を付勢する第１の弾性体と、第１の弾性体によって付勢される第１の部材を係止する第２の部材と、第２の部材による第１の部材の係止を解除するように第２の部材を付勢する第２の弾性体と、第２の弾性体によって付勢される第２の部材を係止する係止手段とを備え、第２の弾性体は、係止手段による第２の部材の係止が解除されると、ミラーがダウン姿勢からアップ姿勢に至る期間のうちの少なくとも一部の期間で、ミラーがアップ姿勢に移動するように第２の部材を介して第１の部材を付勢することを特徴とする。
（８）  請求項８の発明によるカメラは、撮影光路中に挿入されるダウン姿勢と、撮影光路から退避したアップ姿勢との２姿勢の間で駆動されるミラーと、ミラーをアップ姿勢に移動させるための第１の部材と、ミラーがアップ姿勢に移動するように第１の部材を付勢する第１および第２の弾性体とを備え、第１の弾性体は、ミラーがダウン姿勢からアップ姿勢に至る全期間で、ミラーがアップ姿勢に移動するように第１の部材を付勢し、第２の弾性体は、ミラーがダウン姿勢からアップ姿勢に至る期間のうちの少なくとも一部の期間で、ミラーがアップ姿勢に移動するように第１の部材を付勢することを特徴とする。
【発明の効果】
【０００６】
本発明によれば、チャージのためのモータの大型化や消費電流の増大を招くことなく、ミラーアップに要する時間を短縮でき、カメラの連写速度を上げることができる。
【発明を実施するための最良の形態】
【０００７】
図１〜１４を参照して、本発明によるカメラおよびミラー駆動機構の一実施の形態を説明する。図１，２は、本発明によるカメラであるカメラボディ１００と撮影レンズ２００の断面を概念的に示す図である。説明の便宜上、以下の説明では、各図に記載するように前後方向および上下方向を規定する。また、左右方向については、カメラボディ１００を正面から見たときの左右方向と一致するように規定する。カメラボディ１００には、レンズマウント１１の後方に撮影光路を形成するミラーボックス２０が設けられ、その後方にシャッタ１が、さらにその後方に撮像ユニット７０が配置される。またミラーボックス２０の上方には、ファインダ光学系６０が配置される。４０は、カメラボディ１００の各部を制御する制御回路である。シャッタ１は、撮影開口を開放および遮光する先幕遮光羽根群および後幕遮光羽根群を有する。
【０００８】
レンズマウント１１には交換レンズ（撮影レンズ）２００が装着され、撮影レンズ２００を透過した被写体光束は、レンズマウント１１の開口からミラーボックス２０内に入射する。すなわち、ミラーボックス２０は、撮影レンズ２００からの光束を撮像ユニット７０に導く空間を形成する。ミラーボックス２０内にはミラーユニット３０が配置されている。
【０００９】
ミラーユニット３０は、メインミラー（ハーフミラー）およびその支持部材から成るメインミラーユニット３１と、サブミラーおよびその支持部材から成るサブミラーユニット３２とを有する。
【００１０】
メインミラーユニット３１の一端部は、ミラーボックス後部においてカメラ横方向（左右方向）の軸Ｘ回りに回動可能に支持され、サブミラーユニット３２は、メインミラーユニット３１に対してカメラ横方向の軸回りに回動可能に支持される。メインミラーユニット３１には、メインミラーユニット３１の左側面から左方に突出するミラー枠ピン３３が設けられている。ミラーユニット３０は、図１に示すように撮影光路内に挿入される観察位置（ミラーダウン位置）と、図２に示すように撮影光路から退避する撮影位置（ミラーアップ位置）との間で回動可能とされる。
【００１１】
撮像ユニット７０には、撮像素子７１と、撮像素子７１の前面に配設された光学フィルタ（不図示）とが一体的に設けられている。撮像素子７１は、ＣＣＤイメージセンサなどによって構成される。撮像素子７１は、撮影レンズ２００を通過した被写体光による像を撮像し、撮像信号（アナログ撮像信号）を出力する。
【００１２】
ミラーボックス２０の下方の空間には、焦点検出ユニット５１、および、レンズ駆動機構５２がそれぞれ配置される。また、ミラーボックス２０の上方のファインダ光学系６０には、測光ユニット８０が設けられている。焦点検出ユニット５１は、公知の位相差検出方式のＡＦセンサを備えており、撮影レンズ２００による焦点調節状態を検出する焦点検出時に用いられる。レンズ駆動機構５２は、焦点検出ユニット５１で検出した撮影レンズ２００による焦点調節状態に基づいてフォーカスレンズ２００ａを光軸方向に駆動して撮影レンズ２００の焦点調節を行う。なお、レンズ駆動機構５２は、フォーカスレンズ２００ａの位置、すなわち、撮影レンズ２００による焦点調節状態を検出して、検出結果を制御回路４０に出力する。測光ユニット８０は、ファインダ光学系６０のペンタプリズム６１の後方に設けられており、ファインダ光学系６０に入射した被写体光を受光して光電変換する素子を含み、その光電変換出力が測光に利用される。
【００１３】
−−−ミラー駆動機構３００−−−
ミラー駆動機構３００は、ミラーユニット３０を観察位置と回動位との間での回動させるための駆動機構である。図３は、カメラボディ１００に組み込まれるミラー駆動機構３００の主要な構成要素のみを示す分解図であり、レリーズ動作開始前の状態を示している。図４〜６は、レリーズ動作開始前の状態における、ミラー駆動機構３００の主要な構成要素をカメラボディ１００の左側から見た図であり、説明のためにミラー駆動機構３００を構成する部材の一部を太線で強調して表示している。図１４（ａ）は、ミラーユニット３０を右斜め前方から見たときの斜視図であり、図１４（ｂ）は、ミラーユニット３０を左斜め後方から見たときの斜視図である。なお、図３以降の各図における前後方向および上下左右方向は、ミラー駆動機構３００がカメラボディ１００に組み込まれているものとして、カメラボディ１００の前後方向および上下左右方向と一致するように規定している。
【００１４】
ミラーユニット３０には、ミラーダウンバネ３６３がメインミラーユニット３１の右側面に設けられている（図１４）。ミラー駆動機構３００は、基板３０１と、レリーズ係止レバー３１０と、レリーズレバー３２０と、ミラー係止レバー３３０と、ミラーアップレバー３４０と、レリ−ズマグネット３５１と、レリーズレバーバネ３６１と、ミラーアップバネ３６２と、ミラー係止レバーバネ３６４とを備えている。基板３０１は、ミラー駆動機構３００の各構成要素や、不図示の絞り駆動機構などが取り付けられる板状の部材である。レリーズ係止レバー３１０は、基板３０１に植設された軸３０１ａを中心に回動可能に軸支されたレバーであり、２本の腕３１１，３１２を有する（図３，４）。腕３１１は、上方に延在し、後述するレリ−ズマグネット３５１の可動鉄心３５１ａと係合している。腕３１２は、下方に延在しており、レリーズレバー３２０を係止する係止部３１２ａが設けられている。レリーズ係止レバー３１０は、レリーズ係止レバーバネ３６５によって、図示反時計方向に付勢されている（図３）。
【００１５】
レリーズレバー３２０は、基板３０１に取り付けられる軸３７１を中心に回動可能に軸支されたレバーであり、腕３２１，３２２を有する（図３，４，５）。腕３２１は、後方に延在しており、レリーズ係止レバー３１０の係止部３１２ａで係止される係止部３２１ａが設けられている。腕３２２は、略上方に延在しており、レリーズレバーバネ３６１によって押圧されて、図示反時計方向に付勢されている。すなわち、レリーズレバー３２０は、レリーズレバーバネ３６１によって図示反時計方向に付勢されている。ミラー係止レバー３３０は、基板３０１に取り付けられる軸３７１を中心に回動可能に軸支されたレバーであり、腕３３１，３３２，３３３を有する（図３，５，６）。腕３３１は、略後方に延在しており、先端近傍にミラーアップレバー３４０を係止する係止部３３１ａと、後述するように、レリーズ開始後にミラーアップ動作の初期の段階でミラーアップレバー３４０のミラーアップレバー立ち上げ部３４５と当接してこれを圧下させる当接部３３１ｂとが設けられている（図６）。腕３３２，３３３は、略上方にそれぞれ延在している。
【００１６】
ミラー係止レバーバネ３６４は、一端がレリーズレバー３２０の腕３２２に係止され、他端がミラー係止レバー３３０の腕３３３に係止されたバネである（図３）。ミラー係止レバーバネ３６４は、ミラーアップレバー３４０の係止部３４１とミラー係止レバー３３０の腕３３１とが互いに当接するように、ミラー係止レバー３３０を図示時計方向に付勢している。
【００１７】
ミラーアップレバー３４０は、基板３０１のボス３０１ｂを中心に回動可能に軸支されたレバーであり、係止部３４１と、バネ係止部３４２と、腕３４３，３４４と、ミラーアップレバー立ち上げ部３４５とを有する（図３，６）。係止部３４１は、ミラー係止レバー３３０の係止部３３１ａに係止される部位であり、ミラーアップレバー３４０の回動中心の略上方に設けられている。バネ係止部３４２は、略前後方向に延在するミラーアップバネ３６２の後方側端部を係止する部位であり、ミラーアップレバー３４０の回動中心の略上方の斜め後方に設けられている。腕３４３は、ミラーアップレバー３４０の回動中心の略上方で後方に向かって延在する腕であり、後述するようにミラーユニット３０をミラーアップ方向に駆動する。腕３４４は、ミラーアップレバー３４０の回動中心の略下方に向かって延在する腕であり、後述するチャージレバー４０７と当接する当接部３４４ａが設けられている。ミラーアップレバー立ち上げ部３４５は、後述するように、レリーズ開始後にミラーアップ動作の初期の段階でミラー係止レバー３３０の腕３３１の下端の当接部３３１ｂと当接して下方に圧下される部位である。
【００１８】
レリ−ズマグネット３５１は、非励磁状態で可動鉄心３５１ａを吸着して保持し、励磁されることで可動鉄心３５１ａを釈放するように構成されたマグネットであり、基板３０１の左側面上部に取り付けられている（図３，４）。レリーズレバーバネ３６１は、レリーズレバー３２０を図示反時計方向に付勢するバネ（弾性体）である。ミラーアップバネ３６２は、上述したように略前後方向に延在するバネ（弾性体）であり、後方側端部がミラーアップレバー３４０のバネ係止部３４２に係止され、前方側腕部が基板３０１の前方端近傍に係止されている。ミラーアップバネ３６２は、ミラーアップレバー３４０のバネ係止部３４２を前方に向かって付勢されることで、ミラーアップレバー３４０を図示時計方向に付勢している。ミラーダウンバネ３６３は、ミラーユニット３０をミラーダウン方向に付勢するバネ（弾性体）である（図１４）。
【００１９】
上述した各構成要素のほかにも、ミラー駆動機構３００は、レリーズ後のリセット（チャージ動作）を行うためのチャージレバー４０７、チャージリンク板４０８、チャージリンクレバー４０９を備えている。チャージレバー４０７は、リセット時に回動されるレバーであり、基板３０１のボス３０１ｂを中心に回動可能に軸支されている（図３）。チャージレバー４０７は、腕４０７ａ，４０７ｂと、チャージローラ４０７ｃ，４０７ｄとを有する。腕４０７ａは、図示略後方に延在する腕であり、後述するように、リセット時にミラーアップレバー３４０の腕３４４の当接部３４４ａと下端部分で当接してミラーアップレバー３４０を図示反時計方向に回動させる。腕４０７ａは、次に述べるチャージリンク板４０８の上端に対して回動可能に軸支されている。
【００２０】
腕４０７ｂは、斜め上方向の前方に向かって延在する腕である。チャージローラ４０７ｃは、腕４０７ｂの左側面に設けられたローラであり、リセット時にレリーズ係止レバーバネ３６５を押圧することでレリーズ係止レバー３１０を図示時計方向に回動させる（図３）。チャージローラ４０７ｄは、腕４０７ｂの右側面に設けられたローラであり、リセット時にレリーズレバー３２０の腕３２１の下端を押圧することでレリーズレバー３２０を図示時計方向に回動させる。
【００２１】
チャージリンク板４０８は、不図示のシーケンスモータによるチャージ力をチャージレバー４０７などに伝達するための板状の部材である。チャージリンク板４０８は、上述したように上端がチャージレバー４０７の腕４０７ａに対して回動可能に軸支され、下端が次に述べるチャージリンクレバー４０９の一端に対して回動可能に軸支されている。チャージリンク板４０８の下端には、チャージローラ４８２が取り付けられている。チャージローラ４８２は、不図示のシーケンスモータによるチャージ力が入力されるローラであり、リセット時にシーケンスモータのチャージ力によって下方に押圧される。
【００２２】
チャージリンクレバー４０９は、チャージリンク板４０８の下端の動きを規制するレバーであり、一端がチャージリンク板４０８の下端に回動可能に軸支され、他端が基板３０１に設けられた軸３０１ｅを中心に回動可能に軸支されている。なお、基板３０１と、チャージレバー４０７と、チャージリンク板４０８と、チャージリンクレバー４０９とによって、４節リンク機構が構成されている。チャージリンクレバー４０９は、バネ４４９によって時計方向に付勢されている。なお、基板３０１には、撮影レンズ２００の絞りを制御する絞り制御装置も設けられているが、図示および構造の説明を省略する。
【００２３】
−−−動作説明−−−
以下、ミラー駆動機構３００の動作について、撮影シーケンスに沿って説明する。絞り制御に関しては公知であるので詳細な説明を省略する。レリーズ動作開始前、ミラー駆動機構３００の各部は、上述した図３〜６に示す状態となっている。すなわち、レリ−ズマグネット３５１は、可動鉄心３５１ａを吸着して保持することで、レリーズ係止レバーバネ３６５の付勢力に抗して、レリーズ係止レバー３１０を保持しており、レリーズ係止レバー３１０の図示反時計方向への回動を規制している（図４）。レリーズレバー３２０は、係止部３２１ａがレリーズ係止レバー３１０の腕３１２の係止部３１２ａで係止されており、図示反時計方向への回動が規制されている。ミラー係止レバー３３０は、腕３３１の係止部３３１ａでミラーアップレバー３４０の係止部３４１を係止しており、ミラーアップレバー３４０の図示時計方向への回動を規制している（図６）。ミラー係止レバー３３０の当接部３３１ｂと、ミラーアップレバー３４０のミラーアップレバー立ち上げ部３４５とは、後述するように、ミラー係止レバー３３０が回動して腕３３１の係止部３３１ａと、ミラーアップレバー３４０の係止部３４１との係合が解除できるように離間している。ミラーユニット３０は、ミラーダウンバネ３６３によってミラーダウン方向に付勢されて、ミラーダウン位置で停止している。
【００２４】
不図示のレリーズボタンが半押し操作されると、不図示のレリーズスイッチから半押し操作信号が出力される。この半押し操作信号を受信すると、制御回路４０は、公知の測光および測距演算を行って、シャッタ速度（シャッタ秒時）、制御絞り値を算出する。そして、撮影レンズ２００のフォーカスレンズ２００ａを駆動するためのレンズ制御信号をレンズ駆動機構５２に出力する。
【００２５】
その後、不図示のレリーズボタンが全押し操作されると、不図示のレリーズスイッチから全押し操作信号が出力される。この全押し操作信号を受信すると、制御回路４０は、シャッタ１の不図示の先幕遮光羽根群および後幕遮光羽根群を係止する不図示の先幕係止マグネットおよび後幕係止マグネットに通電して励磁する。これにより不図示のアーマチャが各マグネットに吸着されて保持される。
【００２６】
次いで、制御回路４０は、レリ−ズマグネット３５１に所定時間だけ通電して励磁する。これにより、レリ−ズマグネット３５１に吸着されて保持されていた可動鉄心３５１ａを釈放する。図７〜９は、レリーズ動作開始後、ミラーアップ動作の途中段階における、ミラー駆動機構３００の主要な構成要素をカメラボディ１００の左側から見た図であり、説明のためにミラー駆動機構３００を構成する部材の一部を太線で強調して表示している。可動鉄心３５１ａが釈放されると、図７に示すように、レリーズ係止レバー３１０は、レリーズ係止レバーバネ３６５の付勢力によって、図示反時計方向に回動する。レリーズ係止レバー３１０が図示反時計方向に回動すると、腕３１２の係止部３１２ａと、レリーズレバー３２０の腕３２１の係止部３２１ａとの係合が解除される。これにより、レリーズレバー３２０は、レリーズレバーバネ３６１の付勢力によって図示反時計方向に回動する。レリーズレバー３２０の図示反時計方向への回動は、腕３２１が規制部材３０１ｆに当接することで規制される。
【００２７】
レリーズレバー３２０が図示反時計方向に回動すると、腕３２１の先端部分が不図示のシャッタメカ係止機構の不図示のレバーを回動させて、シャッタ１の先幕遮光羽根群および後幕遮光羽根群を走行可能な状態とする。すなわち、レリーズレバー３２０は、撮影開始時にシャッタメカ係止機構（シャッタ装置）の係止を解除する解除部材である。ここで、シャッタ１の駆動機構は、先幕係止マグネットおよび後幕係止マグネットとは異なるシャッタメカ係止機構によって、シャッタ１の先幕遮光羽根群および後幕遮光羽根群が走行を禁止または許可されるように構成されている。そして、シャッタ１の駆動機構は、レリーズレバー３２０の腕３２１の先端部分によって不図示のレバーが回動されると、シャッタメカ係止機構が先幕遮光羽根群および後幕遮光羽根群の走行を許可するように構成されている。なお、シャッタメカ係止機構が先幕遮光羽根群および後幕遮光羽根群の走行を許可しても、上述したように不図示のアーマチャが先幕係止マグネットおよび後幕係止マグネットに吸着されて保持されている間は、先幕遮光羽根群および後幕遮光羽根群は停止したままとなる。
【００２８】
また、レリーズレバー３２０が図示反時計方向に回動すると、腕３２２がミラー係止レバー３３０の腕３３２を後方に向かって押圧して、ミラー係止レバー３３０を図示反時計方向に回動させる（図８）。ミラー係止レバー３３０が図示反時計方向に回動すると、腕３３１の係止部３３１ａと、ミラーアップレバー３４０の係止部３４１との係合が解除される（図９）。これにより、ミラーアップレバー３４０は、ミラーアップバネ３６２の付勢力によって図示時計方向に回動して腕３４３でミラー枠ピン３３を上方に押し上げる。ミラー枠ピン３３が上方に押し上げられると、ミラーユニット３０は、ミラーダウン位置からミラーアップ位置へと移動する。
【００２９】
また、ミラー係止レバー３３０の図示反時計方向への回動によって、ミラー係止レバー３３０の腕３３１の当接部３３１ｂがミラーアップレバー３４０のミラーアップレバー立ち上げ部３４５に当接してこれを下方に圧下する（図９）。これにより、ミラーアップレバー３４０には、図示時計方向に回動するように、レリーズレバー３２０およびミラー係止レバー３３０を介してさらにレリーズレバーバネ３６１の付勢力が与えられる。すなわち、ミラーユニット３０は、ミラーダウンバネ３６３の付勢力に抗して、ミラーアップバネ３６２およびレリーズレバーバネ３６１の付勢力によってミラーアップする方向へ駆動される。ここで、レリーズレバーバネ３６１の付勢力がミラーアップに寄与するのは、レリーズレバー３２０の腕３２１が規制部材３０１ｆに当接するまでの期間であり、ミラーアップ動作の初期の段階だけである。図７〜９は、レリーズレバー３２０の腕３２１が規制部材３０１ｆに当接した直後の状態を示す図である。レリーズレバー３２０の腕３２１が規制部材３０１ｆに当接した後には、ミラーユニット３０は、ミラーアップバネ３６２の付勢力のみによってミラーアップする方向へ駆動される。図１０は、ミラーユニット３０がミラーアップ位置まで移動した後のミラー駆動機構３００の各部の状態を示す図である。
【００３０】
なお、従来から、レリーズレバーバネ３６１の付勢力は、シャッタメカ係止機構による先幕遮光羽根群および後幕遮光羽根群の係止の解除や、ミラー係止レバー３３０の腕３３１の係止部３３１ａと、ミラーアップレバー３４０の係止部３４１との係合の解除に用いられている。そのため、レリーズレバーバネ３６１には従来から力量の大きいバネが用いられている。本実施の形態では、この力量の大きいレリーズレバーバネ３６１でミラーアップを補助するように構成したので、ミラーアップに要する時間を効果的に短縮できる。
【００３１】
全押し操作信号を受信後、所定時間Ｔｒが経過すると、制御回路４０は、先幕係止マグネットの通電を停止する。これにより、先幕係止マグネットに吸着されて保持されていたアーマチャが開放（釈放）されるので、シャッタ１の先幕遮光羽根群の係止が解除され、先幕遮光羽根群が走行を開始し、撮影開口を開放する。ここで、所定時間Ｔｒは、ミラーユニット３０が撮影光路から退避するのに要する時間や、ミラーアップ位置に退避した後のミラーユニット３０の振動収束に要する時間などを考慮してあらかじめ定められている時間である。所定時間Ｔｒが経過した後、さらに上述したように算出されたシャッタ秒時Ｔｓが経過すると、制御回路４０は、後幕係止マグネットの通電を停止する。これにより、後幕係止マグネットに吸着されて保持されていたアーマチャが開放（釈放）されるので、シャッタ１の後幕遮光羽根群の係止が解除され、後幕遮光羽根群１ｅが走行を開始し、撮影開口を遮光する。このように、先幕遮光羽根群および後幕遮光羽根群が走行することで、撮像素子７１がシャッタ秒時Ｔｓに相当する時間だけ露光される。
【００３２】
−−−リセット動作時−−−
全押し操作信号を受信後、所定の待機時間Ｔｍ（たとえばＴｒ＋Ｔｓ）が経過すると、引き続き各部のリセット動作（チャージ動作）が行われる。制御回路４０は、不図示のシーケンスモータに通電を開始する。シーケンスモータは、撮影終了後にカメラボディ１００の各部をリセットするためのモータである。シーケンスモータが駆動されると、シーケンスモータのチャージ力によってチャージローラ４８２が下方に押圧される。これにより図１１〜１３に示すように、チャージリンク板４０８が下方に引き下げられ、チャージレバー４０７が反時計方向に回動される。ここで、図１１〜１３は、チャージリンク板４０８が最も下方に引き下げられたときのミラー駆動機構３００の状態を示す図であり、説明のためにミラー駆動機構３００を構成する部材の一部を太線で強調して表示している。
【００３３】
チャージレバー４０７が反時計方向に回動されると、腕４０７ｂのチャージローラ４０７ｄがレリーズレバー３２０の腕３２１の下端を押圧することで、レリーズレバーバネ３６１の付勢力に抗してレリーズレバー３２０を図示時計方向に回動させる（図１１）。これにより、レリーズレバー３２０の回動位置がレリーズ前の回動位置へと復帰する。ここで、レリーズレバー３２０の腕３２１の下端の形状と、軸３７１やボス３０１ｂの位置関係、チャージローラ４０７ｄの移動軌跡などによって、カムとカムフォロアを構成し、チャージレバー４０７の反時計方向への回動過程の初期の段階で、レリーズレバー３２０のレリーズ前の回動位置への復帰が略終了して、レリーズレバーバネ３６１のチャージが略終了するようにしている。
【００３４】
このようにすることで、ミラーアップバネ３６２とレリーズレバーバネ３６１のチャージ負荷を分散できるので、チャージ動作を行う各部へ過大な負担が掛からず、スムーズにチャージを行うことができる。なお、チャージレバー４０７の反時計方向への回動過程の少なくとも前半の期間で、レリーズレバー３２０のレリーズ前の回動位置への復帰が略終了して、レリーズレバーバネ３６１のチャージが略終了するように構成してもよい。
【００３５】
レリーズレバー３２０の図示時計方向への回動により、ミラー係止レバーバネ３６４の付勢力によってミラー係止レバー３３０もレリーズレバー３２０に追従するように図示時計方向に回動する。これにより、ミラー係止レバー３３０の回動位置がレリーズ前の回動位置へと復帰する。
【００３６】
チャージレバー４０７が反時計方向に回動されると、腕４０７ｂのチャージローラ４０７ｃがレリーズ係止レバーバネ３６５を後方に向かって押圧する（図１２）。これにより、レリーズ係止レバー３１０が図示時計方向に回動する。レリーズ係止レバー３１０の図示時計方向への回動により、可動鉄心３５１ａがレリ−ズマグネット３５１に再び吸着されて保持されるので、レリーズ係止レバー３１０はレリーズ前の回動位置へ復帰して保持される。
【００３７】
チャージレバー４０７が反時計方向に回動されると、腕４０７ａの下端部分がミラーアップレバー３４０の腕３４４の当接部３４４ａと当接して、ミラーアップバネ３６２の付勢力に抗してミラーアップレバー３４０を図示反時計方向に回動させる（図１３）。これにより、ミラーアップレバー３４０がレリーズ前の回動位置へ復帰し、ミラーアップバネ３６２のチャージが完了する。ミラーアップレバー３４０が図示反時計方向に回動すると、ミラー枠ピン３３を上方に押し上げていた腕３４３が下方に逃げるので、ミラーユニット３０は、ミラーダウンバネ３６３の付勢力によってミラーアップ位置からミラーダウン位置へと移動する。
【００３８】
図示はしないが、上記のように各部のリセットが行われる過程で、シャッタ１の駆動機構がリセットされる。シャッタ１の駆動機構のリセットに伴い、先幕遮光羽根群および後幕遮光羽根群がレリーズ開始前の位置へ戻される。
【００３９】
上記のように各部のリセットが行われた後、チャージローラ４８２が下方に押圧されなくなると、バネ４４９の付勢力によってチャージリンク板４０８が上方に移動され、チャージレバー４０７が時計方向に回動されて、ミラー駆動機構３００のリセット動作が終了し、レリーズ開始前の状態に復帰する。
【００４０】
上述したカメラおよびミラー駆動機構では、次の作用効果を奏する。
（１）  ミラーアップ動作の初期の段階で、レリーズレバー３２０およびミラー係止レバー３３０を介してさらにレリーズレバーバネ３６１の付勢力でミラーアップを補助するように構成した。したがって、従来からあるレリーズレバーバネ３６１を利用して、ミラーアップバネ３６２の力量を増やさずにミラーアップのための駆動力を増やすことができるので、チャージのためのモータの大型化や消費電流の増大を招くことなく、ミラーアップに要する時間を短縮できる。これにより、カメラの連写速度を上げることができるほか、ミラーユニット３０が観察位置で停止している時間（以下、観察位置停止時間と呼ぶ）を長くできる。この長くなった観察位置停止時間を測距のために用いることで、測距精度を向上できる。サブミラーユニット３２が完全に停止していないと測距ができないため、観察位置停止時間が長くなることは、測距精度を向上させる上で大変重要である。
【００４１】
また、この長くなった観察位置停止時間を測光のために用いることで、より暗い環境下でも測光性能を維持できる。さらに、観察位置停止時間が長くなることで、連写時におけるファインダを通した被写体像の見え方が良好となる。特に本実施の形態では、ミラーアップ動作の初期の段階に、レリーズレバーバネ３６１の付勢力でミラーアップを補助するので、ミラーユニット３０の動き始めに素早く加速できるので、ファインダを通した被写体像の見え方が効果的に改善できる。
【００４２】
（２）  ミラーアップレバー３４０には、レリーズレバー３２０およびミラー係止レバー３３０を介してさらにレリーズレバーバネ３６１の付勢力が与えられるように構成した。これにより、従来のミラー駆動機構３００に対して、ミラー係止レバー３３０の腕３３１の当接部３３１ｂがミラーアップレバー３４０のミラーアップレバー立ち上げ部３４５を下方に圧下するようにそれぞれの形状を変更するだけでよいので、設計変更箇所が最小限で済み、設計および製造コストを削減できる。また、従来のミラー駆動機構３００の構造を略そのまま使用できるので、信頼性も確保できる。
【００４３】
（３）  チャージレバー４０７の反時計方向への回動過程の初期の段階で、レリーズレバー３２０のレリーズ前の回動位置への復帰が略終了して、レリーズレバーバネ３６１のチャージが略終了するように構成した。これにより、ミラーアップバネ３６２とレリーズレバーバネ３６１のチャージ負荷を分散できるので、チャージ動作を行う各部へ過大な負担が掛からず、スムーズにチャージを行うことができる。また、チャージ動作を行う各部の耐久性を損なわない。
【００４４】
−−−変形例−−−
（１）  上述の説明では、レリーズレバーバネ３６１の付勢力がミラーアップに寄与するのは、ミラーアップ動作の初期の段階だけであったが、本発明はこれに限定されず、たとえば、レリーズレバーバネ３６１の付勢力がミラーアップ動作の任意の段階でミラーアップに寄与するように構成しても良く、上述した作用効果と同様の作用効果を奏する。ただし、ミラーユニット３０が動き始めるミラーアップ動作の初期の段階でレリーズレバーバネ３６１の付勢力をミラーユニット３０に作用させた方がより効果的にミラーアップに要する時間を短縮できる。
【００４５】
（２）  上述の説明では、レリーズレバー３２０からミラー係止レバー３３０を介してレリーズレバーバネ３６１の付勢力がミラーアップレバー３４０に与えられるように構成したが、当該構成は一例であり、本発明はこれに限定されない。たとえば、レリーズレバー３２０からミラー係止レバー３３０以外の他の部材を介してレリーズレバーバネ３６１の付勢力がミラーアップレバー３４０に与えられるように構成してもよい。
【００４６】
（３）  上述の説明では、各バネは、コイルバネやねじりバネであったが、これらは一例であり、たとえば、板バネや渦巻きバネ、さらばね、竹の子バネ、トーションバーなど、他の種類のバネであってもよい。またバネに限らず、エネルギを吸収蓄積し、それを吐き出して動力に利用できるものであれば、ゴムなどの弾性体を用いてもよい。
（４）  上述した各実施の形態および変形例は、それぞれ組み合わせてもよい。
【００４７】
なお、本発明は、上述した実施の形態のものに何ら限定されず、撮影光路中に挿入されるダウン姿勢と、撮影光路から退避したアップ姿勢との２姿勢の間で駆動されるミラーと、ミラーをアップ姿勢に移動させるための第１の部材と、ミラーがアップ姿勢に移動するように第１の部材を付勢する第１の弾性体と、第１の弾性体によって付勢される第１の部材を係止する第２の部材と、第２の部材による第１の部材の係止を解除するように第２の部材を付勢する第２の弾性体と、第２の弾性体によって付勢される第２の部材を係止する係止手段とを備え、第２の弾性体は、係止手段による第２の部材の係止が解除されると、ミラーがダウン姿勢からアップ姿勢に至る期間のうちの少なくとも一部の期間で、ミラーがアップ姿勢に移動するように第２の部材を介して第１の部材を付勢することを特徴とする各種構造のカメラを含むものである。
【００４８】
本発明は、上述した実施の形態のものに何ら限定されず、撮影光路中に挿入されるダウン姿勢と、撮影光路から退避したアップ姿勢との２姿勢の間で駆動されるミラーをアップ姿勢に移動させるための第１の部材と、ミラーがアップ姿勢に移動するように第１の部材を付勢する第１の弾性体と、第１の弾性体によって付勢される第１の部材を係止する第２の部材と、第２の部材による第１の部材の係止を解除するように第２の部材を付勢する第２の弾性体と、第２の弾性体によって付勢される第２の部材を係止する係止手段とを備え、第２の弾性体は、係止手段による第２の部材の係止が解除されると、ミラーがダウン姿勢からアップ姿勢に至る期間のうちの少なくとも一部の期間で、ミラーがアップ姿勢に移動するように第２の部材を介して第１の部材を付勢することを特徴とする各種構造のミラー駆動機構を含むものである。
【００４９】
本発明は、上述した実施の形態のものに何ら限定されず、撮影光路中に挿入されるダウン姿勢と、撮影光路から退避したアップ姿勢との２姿勢の間で駆動されるミラーと、ミラーをアップ姿勢に移動させるための第１の部材と、ミラーがアップ姿勢に移動するように第１の部材を付勢する第１および第２の弾性体とを備え、第１の弾性体は、ミラーがダウン姿勢からアップ姿勢に至る全期間で、ミラーがアップ姿勢に移動するように第１の部材を付勢し、第２の弾性体は、ミラーがダウン姿勢からアップ姿勢に至る期間のうちの少なくとも一部の期間で、ミラーがアップ姿勢に移動するように第１の部材を付勢することを特徴とする各種構造のカメラを含むものである。
【図面の簡単な説明】
【００５０】
【図１】カメラボディ１００と撮影レンズ２００の断面を概念的に示す図である。
【図２】カメラボディ１００と撮影レンズ２００の断面を概念的に示す図である。
【図３】カメラボディ１００に組み込まれるミラー駆動機構３００の主要な構成要素のみを示す分解図である。
【図４】レリーズ動作開始前の状態における、ミラー駆動機構３００の主要な構成要素をカメラボディ１００の左側から見た図である。
【図５】レリーズ動作開始前の状態における、ミラー駆動機構３００の主要な構成要素をカメラボディ１００の左側から見た図である。
【図６】レリーズ動作開始前の状態における、ミラー駆動機構３００の主要な構成要素をカメラボディ１００の左側から見た図である。
【図７】レリーズ動作開始後、ミラーアップ動作の途中段階における、ミラー駆動機構３００の主要な構成要素をカメラボディ１００の左側から見た図である。
【図８】レリーズ動作開始後、ミラーアップ動作の途中段階における、ミラー駆動機構３００の主要な構成要素をカメラボディ１００の左側から見た図である。
【図９】レリーズ動作開始後、ミラーアップ動作の途中段階における、ミラー駆動機構３００の主要な構成要素をカメラボディ１００の左側から見た図である。
【図１０】ミラーユニット３０がミラーアップ位置まで移動した後のミラー駆動機構３００の各部の状態を示す図である。
【図１１】チャージリンク板４０８が最も下方に引き下げられたときのミラー駆動機構３００の状態を示す図である。
【図１２】チャージリンク板４０８が最も下方に引き下げられたときのミラー駆動機構３００の状態を示す図である。
【図１３】チャージリンク板４０８が最も下方に引き下げられたときのミラー駆動機構３００の状態を示す図である。
【図１４】ミラーユニット３０の斜視図である。
【符号の説明】
【００５１】
３０  ミラーユニット                    ３１  メインミラーユニット
３２  サブミラーユニット                １００  カメラボディ
２００  撮影レンズ                      ３００  ミラー駆動機構
３０１  基板                            ３１０  レリーズ係止レバー
３２０  レリーズレバー                  ３３０  ミラー係止レバー
３３１ａ  係止部                        ３３１ｂ  当接部
３４０  ミラーアップレバー              ３５１  レリ−ズマグネット
３６１  レリーズレバーバネ              ３６２  ミラーアップバネ
３６３  ミラーダウンバネ                ４０７  チャージレバー
４０８  チャージリンク板                ４０９  チャージリンクレバー
【図１】
2010113234.tif 000003
【図２】
2010113234.tif 000004
【図３】
2010113234.tif 000005
【図４】
2010113234.tif 000006
【図５】
2010113234.tif 000007
【図６】
2010113234.tif 000008
【図７】
2010113234.tif 000009
【図８】
2010113234.tif 000010
【図９】
2010113234.tif 000011
【図１０】
2010113234.tif 000012
【図１１】
2010113234.tif 000013
【図１２】
2010113234.tif 000014
【図１３】
2010113234.tif 000015
【図１４】
2010113234.tif 000016